(57)【要約】【課題】外部に放出される熱量を少なくしてエネルギーを有効に利用することにより、乾燥時間の短縮と、省エネルギーを達成する。【解決手段】ヒートポンプ装置の記放熱器４１を吸気ダクト４７内に配設するとともに、吸熱器４３を排気ダクト５４内に配設し、放熱器４１と吸熱器４３を外槽３３と筐体３１の一側壁との間に略平行に並べて配設したものである。【選択図】　図２
2004097521.tif 000002
【特許請求の範囲】
【請求項１】
筐体内に支持した外槽と、前記外槽内に略鉛直方向に回転自在に支持された衣類を収容する内槽と、前記内槽を回転させる駆動手段と、前記内槽内に空気を送風する送風手段と、前記内槽内に送風される空気を筐体外から吸入する吸気ダクトと、前記内槽を通過して前記外槽から排気された空気を前記筐体外へ導く排気ダクトと、圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置を備え、前記放熱器を吸気ダクト内に配設するとともに、前記吸熱器を排気ダクト内に配設し、前記放熱器と吸熱器を前記外槽と筐体の一側壁との間に略平行に並べて配設した洗濯乾燥機。
【請求項２】
放熱器および吸熱器は、外槽と筐体の背面との間に配置した請求項１記載の洗濯乾燥機。
【請求項３】
内槽内に送風された空気を排気する排気口を外槽下部に備え、前記排気口と連結される排気ダクトを、下方から前記外槽の上端よりも上方へと伸ばし、前記外槽の上端よりも上方の位置から筐体外へと至る排気ダクト内に吸熱器を設けた請求項１または２記載の洗濯乾燥機。
【請求項４】
下方から外槽の上端よりも上方へと伸びる排気ダクトを、上方から下方へと折り返すように延長し、上方から下方へと折り返した前記排気ダクト内に吸熱器を設けた請求項３記載の洗濯乾燥機。
【請求項５】
洗濯時において、洗濯水を筐体外へ排水する排水手段を備え、排気ダクトを前記排水手段と連結した請求項１〜４のいずれか１項に記載の洗濯乾燥機。
【請求項６】
送風空気の内槽への入口となる給気口を外槽上部に備え、吸気ダクトは筐体外から外気を吸入する吸気口を筐体上部に備え、前記吸気口近傍に吸気フィルターを設け、放熱器を筐体上部の高さ位置の吸気ダクト内に設けた請求項１〜５のいずれか１項に記載の洗濯乾燥機。
【請求項７】
送風空気の内槽への入口となる給気口を外槽上部に備え、吸気ダクトは筐体外から外気を吸入する吸気口を筐体上部に備え、前記吸気口の近傍に吸気フィルターを設け、前記吸気ダクトを前記吸気口から下方へと伸ばし、前記吸気口から下方へと伸びる吸気ダクト内に放熱器を設け、さらに下方から上方へと折り返すように延長して給気口と連結した請求項１〜５記載の洗濯乾燥機。
【請求項８】
送風空気の内槽への入口となる給気口を外槽上部に備え、吸気ダクトは筐体外から外気を吸入する吸気口を筐体上部に備え、前記吸気口の近傍に吸気フィルターを設け、前記吸気ダクトを前記吸気口から下方へと伸ばし、さらに下方から上方へと折り返すように延長し、下方から上方へと折り返した吸気ダクト内に放熱器を設け、前記吸気ダクトをさらに延長して前記給気口と連結した請求項１〜５のいずれか１項に記載の洗濯乾燥機。
【発明の詳細な説明】
【０００１】
【発明の属する技術分野】
本発明は、一般家庭で使用される洗濯と乾燥を行う洗濯乾燥機に関するものである。
【０００２】
【従来の技術】
従来、この種の洗濯乾燥機は図７に示すような構成であった（例えば、特許文献１参照）。以下、その構成について説明する。図７に示すように、筐体１は、内部に複数のサスペンション２によって弾性的に吊り下げた外槽３を設け、脱水時の振動をサスペンション２によって吸収する構成としている。外槽３の内部には、略鉛直方向に回転自在に支持され、洗濯物および乾燥対象物（以下、衣類という）を収容する内槽４を洗濯・脱水軸５を中心に回転可能に配設し、内槽４の内底部に衣類を撹拌する回転翼６を回転自在に配設している。また、内槽４の周壁には小孔４ａを多数設けている。上方には流体バランサ７を設けている。
【０００３】
モータ（駆動手段）８は、外槽３の底部に取り付けられ、その回転力はクラッチ９を切り換えることによって洗濯・脱水軸５に伝達される。洗濯軸５ａは回転翼６に、脱水軸５ｂは内槽４に連結されている。回転翼６は外周部に外周方向に高くなる略鍋型の形状をし、衣類撹拌用の突出リブ６ａを有している。乾燥行程においては、回転翼６の回転による遠心力と突出リブ６ａの撹拌力によって衣類を上方へと舞い上げる。
【０００４】
乾燥用送風機１０は、ヒータ１１によって加熱された温風を伸縮自在の上部蛇腹状ホース１２を通して乾燥用空気の吐出口１３から内槽４内に送風するもので、筐体１の略上方に設けており、乾燥用送風機１０とヒータ１１とで温風送風手段を構成している。循環ダクト１４は、内槽４および外槽３を通過した湿った乾燥用空気の除湿を行うもので、一端を外槽３の下部の排出口１５に接続した下部蛇腹状ホース１６に接続し、他端を乾燥用送風機１０に接続している。
【０００５】
１７は排水弁で、外槽３の底部に位置している。外槽３からの排水と下部蛇腹状ホース１６と循環ダクト１４からの排水は、排水管１８を通して排水弁１７に導かれ、排水ホース１９から機外へ排水される。外槽カバー２０は外槽３の上面を略気密的に覆うもので、この外槽カバー２０に中蓋２１を開閉自在に設け、衣類の出し入れを可能にしている。冷却用送風機２２は筐体１内部に外部から冷却風を導入するもので、筐体１の側壁に設けられ、循環ダクト１４および外槽３の外壁を冷却する。
【０００６】
上記構成において動作を説明する。乾燥行程では、モータ８を駆動して回転翼６を回転させ、衣類に遠心力を与えることにより、衣類を外へはね飛ばすように衣類を撹拌する。この撹拌を繰り返しながら乾燥用送風機１０による送風とヒータ１１による発熱により、上部蛇腹状ホース１２を通して内槽４内へ温風を送り込む。この温風は、衣類の水分を奪った後、内槽４から外槽３の内側へ出た後、下部蛇腹状ホース１６を通過して、循環ダクト１４へ至る。
【０００７】
衣類の水分を奪って湿気を含んだ温風が、外槽３の内壁や循環ダクト１４内を通過しているとき、筐体１の側面に設置した冷却用送風機２２による外部空気の流入で、外槽３や循環ダクト１４の外壁は冷却されることになり、その内部では、水分の結露が起こり、湿った温風は除湿されて乾燥用送風機１０へ戻る。結露水を排出するため、閉じていた排水弁１７が所定時間、開かれる。この乾燥用送風機１０、ヒータ１１、上部蛇腹状ホース１２、吐出口１３、内槽４、外槽３、排出口１５、排水管１８、下部蛇腹状ホース１６、循環ダクト１４の循環路で温風を循環させることにより、内槽４内の衣類を乾燥させることができる。
【０００８】
【特許文献１】
特開２００１−３００１７７号公報
【０００９】
【発明が解決しようとする課題】
しかしながら、前記従来の構成では、衣類乾燥に使用される熱は全て冷却用送風機２２から送られる外部の空気に奪われて、再利用されることがなかった。また、乾燥に必要な熱は全てヒータ１１で電力を熱に変換したものであり、家庭用コンセントの電気容量からその発熱量には限界があり、衣類乾燥時間の短縮には熱量に限界があった。さらに、短時間乾燥に必要な熱量が得られても、周囲の空気で冷却する従来方式では、短時間で衣類から放出された湿気を冷却除湿し、水として回収するための冷却能力に限界があり、そのため、乾燥時間も長くなるものであった。
【００１０】
本発明は、上記従来の課題を解決するもので、略鉛直方向に回転自在に支持される内槽を有する洗濯乾燥機において、通常の家庭用コンセントで得られる電力の範囲内で、外部に放出される熱量を少なくして有効なエネルギー利用を行うことにより、乾燥時間の短縮と省エネを達成することを目的とする。
【００１１】
【課題を解決するための手段】
上記の目的を達成するために本発明は、ヒートポンプ装置の記放熱器を吸気ダクト内に配設するとともに、吸熱器を排気ダクト内に配設し、前記放熱器と吸熱器を外槽と筐体の一側壁との間に略平行に並べて配設したものである。
【００１２】
これにより、従来では外部に放出されていた熱量を回収し、この回収した熱量によって入力以上の出力を得て、乾燥時間の短縮と省エネルギーを実現するものである。
【００１３】
【発明の実施の形態】
本発明の請求項１に記載の発明は、筐体内に支持した外槽と、前記外槽内に略鉛直方向に回転自在に支持された衣類を収容する内槽と、前記内槽を回転させる駆動手段と、前記内槽内に空気を送風する送風手段と、前記内槽内に送風される空気を筐体外から吸入する吸気ダクトと、前記内槽を通過して前記外槽から排気された空気を前記筐体外へ導く排気ダクトと、圧縮機と圧縮後の高温高圧の冷媒の熱を放熱する放熱器と高圧の冷媒の圧力を減圧するための絞り手段と減圧されて低圧となった冷媒が周囲から熱を奪う吸熱器とを冷媒が循環するように管路で連結したヒートポンプ装置を備え、前記放熱器を吸気ダクト内に配設するとともに、前記吸熱器を排気ダクト内に配設し、前記放熱器と吸熱器を前記外槽と筐体の一側壁との間に略平行に並べて配設したものであり、内槽内の衣類を通過した後の排気から、排気ダクト内の吸熱器で熱量を回収し、回収した熱量によって入力以上の出力を得た吸気ダクト内の放熱器により、筐体外から吸入された外気を加熱し、内槽内の衣類に投入することにより、乾燥時間の短縮と、省エネルギーを実現するヒートポンプ装置を、回転中心軸を略鉛直方向に有する洗濯乾燥機にコンパクトに装備することができる。
【００１４】
請求項２に記載の発明は、上記請求項１に記載の発明において、放熱器および吸熱器は、外槽と筐体の背面との間に配置したものであり、筐体の前面側に設けた場合のように、前面から内槽までの距離が大きくなって使い勝手が悪くなることもなく、また、筐体の右側または左側の側面側に設けた場合のように、筐体の幅が大きくなり設置性が悪くなることもない。
【００１５】
請求項３に記載の発明は、上記請求項１または２に記載の洗濯乾燥機において、内槽内に送風された空気を排気する排気口を外槽下部に備え、前記排気口と連結される排気ダクトを、下方から前記外槽の上端よりも上方へと伸ばし、前記外槽の上端よりも上方の位置から筐体外へと至る排気ダクト内に吸熱器を設けたものであり、洗濯時において、排気ダクト内の吸熱器にまで洗濯水が達することがないので、吸熱器が腐食したり、洗濯水中のリントが詰まるようなことがない。
【００１６】
請求項４に記載の発明は、上記請求項３に記載の洗濯乾燥機において、下方から外槽の上端よりも上方へと伸びる排気ダクトを、上方から下方へと折り返すように延長し、上方から下方へと折り返した前記排気ダクト内に吸熱器を設けたものであり、衣類から水分を奪った後の湿った温風が吸熱器により冷却されて発生する結露水の流れ落ちる向きと排気の向きとを同じにすることができるため、排気とともに結露水を排気ダクト内からすみやかに除去することができ、排気ダクト内に結露水が滞留したり、結露水が舞ったりすることがなく、送風空気の風量が低下するようなことがない。
【００１７】
請求項５に記載の発明は、上記請求項１〜４に記載の洗濯乾燥機において、洗濯時において、洗濯水を筐体外へ排水する排水手段を備え、排気ダクトを前記排水手段と連結したものであり、排気及び結露水を筐体外へと導くための経路を排水手段と兼用することができるため、部品点数を削減することができる。
【００１８】
請求項６に記載の発明は、上記請求項１〜５に記載の洗濯乾燥機において、送風空気の内槽への入口となる給気口を外槽上部に備え、吸気ダクトは筐体外から外気を吸入する吸気口を筐体上部に備え、前記吸気口近傍に吸気フィルターを設け、放熱器を筐体上部の高さ位置の吸気ダクト内に設けたものであり、吸気口から吸入する外気の埃が放熱器内や内槽内に侵入することを防止することができ、また使用者が筐体の上部から簡単に吸気フィルターを着脱することができ、また放熱器から給気口までの吸気ダクトの距離を短くすることができるので、放熱器により加熱された送風空気の放熱ロスを少なくして、内槽内の衣類に吹きつけることができるので、乾燥時間のロスを少なくすることができる。
【００１９】
請求項７に記載の発明は、上記請求項１〜５に記載の発明において、送風空気の内槽への入口となる給気口を外槽上部に備え、吸気ダクトは筐体外から外気を吸入する吸気口を筐体上部に備え、前記吸気口の近傍に吸気フィルターを設け、前記吸気ダクトを前記吸気口から下方へと伸ばし、前記吸気口から下方へと伸びる吸気ダクト内に放熱器を設け、さらに下方から上方へと折り返すように延長して給気口と連結したものであり、吸気口から吸入する外気の埃が放熱器内や内槽内に侵入することを防止することができ、また、使用者が筐体の上部から簡単に吸気フィルターを着脱することができ、また、放熱器を上下方向に大きくすることができるので、放熱器の発熱量を大きくすることができ、乾燥時間を短縮することができる。
【００２０】
請求項８に記載の発明は、上記請求項１〜５に記載の発明において、送風空気の内槽への入口となる給気口を外槽上部に備え、吸気ダクトは筐体外から外気を吸入する吸気口を筐体上部に備え、前記吸気口の近傍に吸気フィルターを設け、前記吸気ダクトを前記吸気口から下方へと伸ばし、さらに下方から上方へと折り返すように延長し、下方から上方へと折り返した吸気ダクト内に放熱器を設け、前記吸気ダクトをさらに延長して前記給気口と連結したものであり、吸気口から吸入する外気の埃が放熱器内や内槽内に侵入することを防止することができ、また使用者が筐体の上部から簡単に吸気フィルターを着脱することができ、また、放熱器を上下方向に大きくすることができるので、放熱器の発熱量を大きくすることができ、また、放熱器から給気口までの吸気ダクトの距離を短くすることができるので、放熱器により加熱された送風空気の放熱ロスを少なくして、内槽内の衣類に吹きつけることができるので、乾燥時間をより短縮することができる。
【００２１】
【実施例】
以下、本発明の実施例について、図面を参照しながら説明する。
【００２２】
（実施例１）
本発明の第１の実施例の洗濯乾燥機の要部断面図を図１に、斜視図を図２に示す。また、図３は本実施例のヒートポンプサイクルと送風空気の流れを示す模式図であり、矢印５７は空気、矢印５８はヒートポンプ装置の冷媒の流れを示している。
【００２３】
図１に示すように、筐体３１は、内部に、複数のサスペンション３２によって外槽３３を弾性的に吊支し、運転時の振動をサスペンション３２によって吸収する構成としている。外槽３３の内部には、回転中心軸を略鉛直方向に有し衣類を収容する内槽３４を回転自在に支持し、内槽３４の内底部に衣類を撹拌する攪拌翼３５を回転自在に設けている。
【００２４】
外槽３３の上部には、蓋３６が設けられており、この蓋３６を開けることにより、使用者は筐体３１の前面側から衣類の内槽３４への出し入れを行うことができる。内槽３４の側壁には、外槽３３と連通する複数の脱水孔３７を設け、その上方には流体バランサ３８を設けている。そして、外槽３３の底部にはモータ３９ａを備えた駆動手段３９が取り付けられており、駆動手段３９は、内槽３４及び攪拌翼３５をクラッチ３９ｂによって選択的に切換えて回転させる。
【００２５】
筐体３１内には、圧縮機４０と、圧縮後の高温高圧の冷媒の熱を放熱する放熱器４１と、高圧の冷媒の圧力を減圧するための絞り手段４２と、減圧されて低圧となった冷媒が周囲から熱を奪う吸熱器４３とを、冷媒が循環するように管路４４で連結したヒートポンプ装置を設けており、放熱器４１と吸熱器４３は、ヒートポンプ装置の冷媒と送風空気の熱を交換する熱交換器からなる。
【００２６】
図２に示すように、放熱器４１と吸熱器４３は、それぞれ外槽３３と筐体３１の一側壁との間に配設してあり、筐体３１の一側壁と略平行に並べて配置している。そして、より具体的には上記一側壁は、筐体３１の背面であり、この背面に対向するように、略平行で平面上に並べて設けることにより、筐体３１内にコンパクトに収容されている。
【００２７】
ここで、放熱器４１と吸熱器４３は筐体３１の背面側に設けられているので、前面に設けた場合のように、前面側に立つ使用者から内槽３４が遠くなり、衣類の出し入れが行い難くなるというような構成とはならないし、右側又は左側の側面側に設けた場合のように、筐体３１の幅が従来の洗濯乾燥機よりも大きくなり、設置性が悪くなるような構成ともならない。
【００２８】
外槽３３上方には送風手段４５が設けられており、筐体３１の背面に設けられた吸気口４６から外気を吸入し、吸気口４６と連結される吸気ダクト４７及び伸縮自在の上部蛇腹状ホース４８を介して、外槽３３上部に設けられた給気口４９から内槽３４内に送風空気を送り込む。吸気ダクト４７内にはヒートポンプ装置の放熱器４１が設けられており、送風空気を加熱する。
【００２９】
外槽３３の下部には、内槽３４内に送風された空気を排気する排気口５０を設けている。排気口５０は、外槽３３内の洗濯水の排水口にもなり、排水弁５１を開くことにより、筐体３１外へと通じる排水手段５２を通して排水することができる。また、排気口５０は伸縮自在の下部蛇腹状ホース５３を介して排気ダクト５４へと通路を構成し、排気ダクト５４は、図２に示すように、外槽３３下部から外槽３３の上端よりも上方へと一旦立ち上がった後、再び上方から下方へと折り返すように延長されている。
【００３０】
上方から下方へと折り返した排気ダクト５４内にはヒートポンプ装置の吸熱器４３が設けられており、排気ダクト５４の出口は排水手段５２と連結されている。また、吸熱器４３よりも上流側の排気ダクト５４内に排気フィルター５５を設け、乾燥時において、衣類を通過した後の排気中に含まれるリントが吸熱器４３に達することを防止している。
【００３１】
上記構成において動作を説明する。まず、洗濯行程では、外槽３３内に洗濯水の給水を所定の水位に達するまで行う。次に、内槽３４が回転可能なクラッチ３９ｂの状態において、駆動手段３９を駆動させることにより、衣類と洗濯水の入った内槽３４を回転させる。このとき、排水弁５１は閉じている。このことにより、内槽３４内の洗濯水の外周部分は、遠心力により上昇する。
【００３２】
これに伴い、内槽３４と外槽３３の間の洗濯水は外槽３３の内壁に沿って上昇した後、内槽３４の上部から内槽３４内に散水され、循環することになる。これにより、内槽３４内では洗濯水が衣類を通過することになり洗浄される。このとき、洗濯水は、排気ダクト５４内に侵入してくることになるが、外槽３３の上端よりも上方まで侵入してくることはない。
【００３３】
吸熱器４３は、外槽３３下部から外槽３３の上端よりも上方へと一旦立ち上がった後、再び上方から下方へと折り返された排気ダクト５４内に設けられているため、吸熱器４３にまで洗濯水が達することはなく、吸熱器４３が腐食したり、洗濯水中のリントが詰まるようなことはない。また、必要に応じて攪拌翼３５が回転可能なクラッチ３９ｂの状態において、駆動手段３９を駆動させることにより、攪拌翼３５を回転させ、衣類を攪拌させながら洗浄する。
【００３４】
その後、洗い行程と同様にして衣類をすすぐすすぎ行程を経て、脱水行程では、排水弁５１を開くことにより、排水手段５２から排水し、内槽３４が回転可能なクラッチ３９ｂの状態において、駆動手段３９を駆動させ、衣類が入った内槽３４を高速で回転させる。これにより生じる遠心力により、衣類は内槽３４の内壁に押しつけられ、この遠心力で水分が衣類から分離されて脱水孔３７から外槽３３へと抜け、排水手段５２より排水され、脱水行程が進行する。
【００３５】
乾燥行程では、ヒートポンプ装置の圧縮機４０を作動させることにより、冷媒が放熱器４１と絞り手段４２と吸熱器４３を循環する。放熱器４１では冷媒の凝縮で熱が放出され、吸熱器４３では冷媒の蒸発で熱が吸収される。送風手段４５の送風と放熱器４１の熱の放出により、筐体３１外の外気を吸気口４６から吸入し、吸気ダクト４７、上部蛇腹状ホース４８、給気口４９を通して内槽３４へ乾いた温風を送り込み、必要に応じて、攪拌翼３５が回転可能なクラッチ３９ｂの状態において、駆動手段３９を駆動させ、攪拌翼３５を回転させることで衣類を上下に入れ替えながら、内槽３４内の衣類を乾燥させる。
【００３６】
内槽３４へ送り込まれた温風は、これら衣類の隙間を通るときに衣類から水分を奪い、湿った状態で、脱水孔３７を通って内槽３４から外槽３３の内側へと抜け、さらに排気口５０を通過して排気ダクト５４に至る。そして、排気フィルター５５によりリントが除去された湿った温風は、吸熱器４３を通過する際に顕熱と潜熱を吸熱され、冷却除湿された空気と結露水とに分離され、排気と排水として、排水手段５２から排出される。このとき、排気された空気は十分に吸熱器４３により除湿されているため、室内の湿度を上昇させるようなことはない。
【００３７】
また、吸熱器４３は上方から下方へと折り返された排気ダクト５４内に設けられているため、結露水の流れ落ちる向きと排気の向きとを同方向とすることができるため、排気とともに結露水を排気ダクト５４内からすみやかに除去することができ、排気ダクト５４内に結露水が滞留したり、結露水が舞ったりすることがなく、送風空気の風量が低下するようなことがない。また、排気を筐体３１外へと導くための経路を、排水を筐体３１外へと導くための排水手段５２と兼用しているため、部品点数を削減できている。
【００３８】
このようにして、内槽３４内の衣類の乾燥を進行させるのであるが、ここで、ヒートポンプ装置におけるヒートポンプサイクルを考えると、放熱器４１から送風空気に放出される熱量は、圧縮機４０の消費電力相当分と吸熱器４３で排気から吸熱される熱量の和にほぼ等しい。このため、放熱器４１は圧縮機４０に入力した電力以上の出力を得て、筐体３１外から吸入された外気を加熱し、内槽３４内の衣類に投入することができるので、乾燥時間の短縮と省エネを実現することができる。
【００３９】
以上述べたように、ヒートポンプ装置の放熱器４１を吸気ダクト４７内に、吸熱器４３を排気ダクト５４内に配設し、放熱器４１と吸熱器４３をそれぞれ外槽３３と筐体３１の一つの側壁との間において、一つの側壁面の略平行平面上に、並べて設けたので、内槽３４内の衣類を通過した後の排気から排気ダクト５４内の吸熱器４３で熱量を回収し、回収した熱量によって入力以上の出力を得た吸気ダクト４７内の放熱器４１により筐体３１外から吸入された外気を加熱し、内槽３４内の衣類に投入することにより、乾燥時間の短縮と省エネを実現するヒートポンプ装置を回転中心軸を略鉛直方向に有する洗濯乾燥機において、コンパクトに設けることができる。
【００４０】
また、放熱器４１と吸熱器４３をそれぞれ外槽３３と筐体３１の背面との間において、背面の略平行平面上に並べて設けたので、筐体３１の前面側に設けた場合のように、前面から内槽３４までの距離が大きくなり、使用勝手が悪くなることもなく、また、筐体３１の右側又は左側の側面側に設けた場合のように、筐体３１の幅が大きくなり設置性が悪くなることもない。
【００４１】
また、内槽３４内に送風された空気を排気する排気口５０を外槽３３下部に備え、排気口５０と連結される排気ダクト５４を下方から外槽３３の上端よりも上方へと伸ばし、外槽３３の上端よりも上方の位置から筐体３１外へと至る排気ダクト５４内に吸熱器４３を設けたので、洗濯時において、排気ダクト５４内の吸熱器４３にまで洗濯水が達することがないので、吸熱器４３が腐食したり、洗濯水中のリントが詰まるようなことがない。
【００４２】
また、下方から外槽３３の上端よりも上方へと伸びる排気ダクト５４を、上方から下方へと折り返すように延長し、上方から下方へと折り返した排気ダクト５４内に吸熱器４３を設けたので、衣類から水分を奪った後の湿った温風が吸熱器４３により冷却されて発生する結露水の流れ落ちる向きと、排気の向きとを同じにすることができるため、排気とともに結露水を排気ダクト５４内からすみやかに除去することができ、排気ダクト５４内に結露水が滞留したり、結露水が舞ったりすることがなく、送風空気の風量が低下するようなことがない。
【００４３】
また、洗濯時において、洗濯水を筐体３１外へ排水する排水手段５２を備え、排気ダクト５４を排水手段５２と連結したので、排気及び結露水を筐体３１外へと導くための経路を排水手段５２と兼用することができるため、部品点数を削減することができる。
【００４４】
（実施例２）
図４は本発明の第２の実施例の洗濯乾燥機の斜視図である。なお、上記実施例１と同じ構成のものは同一符号を付して詳細な説明は省略する。
【００４５】
図４に示すように、外槽３３上部には、送風空気の内槽３４への入口となる給気口４９が設けられ、筐体３１の背面側上部には、筐体３１外から外気を吸入する吸気口４６が設けられている。吸気口４６と給気口４９を連結する吸気ダクト４７内には、放熱器４１が設けられており、筐体３１外から吸入された外気を加熱し、内槽３４内へと乾いた温風が送り込まれるように構成されている。放熱器４１は、筐体３１の上部に設けられているため、放熱器４１により加熱された外気は、吸気ダクト４７を介して、すぐに外槽３３上部の給気口４９に達する。
【００４６】
このため、放熱器４１により加熱された送風空気の放熱ロスをほとんどなくして、内槽３４内に乾いた温風を送り込むことができる。また、吸気ダクト４７内の吸気口４６近傍で放熱器４１の上流側には、吸気フィルター５６が設けられ、吸気口４６から吸入する外気の埃が放熱器４１内及び内槽３４内に侵入することを防止している。吸気フィルター５６の上部は筐体３１の上方外側に突き出しており、使用者が筐体３１の上部から簡単に吸気フィルター５６を着脱することができるように構成されている。
【００４７】
以上述べたように、送風空気の内槽３４への入口となる給気口４９を外槽３３上部に備え、吸気ダクト４７は筐体３１外から外気を吸入する吸気口４６を筐体３１上部に備え、吸気口４６の近傍に吸気フィルター５６を設け、放熱器４１を筐体３１上部の高さ位置の吸気ダクト４７内に設けたので、吸気口４６から吸入する外気の埃が放熱器４１内や内槽３４内に侵入することを防止することができ、また使用者が筐体３１の上部から簡単に吸気フィルター５６を着脱することができ、また、放熱器４１から給気口４９までの吸気ダクト４７の距離を短くすることができるので、放熱器４１により加熱された送風空気の放熱ロスを少なくして、内槽３４内の衣類に吹きつけることができるので、乾燥時間のロスを少なくすることができる。
【００４８】
（実施例３）
図５は本発明の第３の実施例の洗濯乾燥機の斜視図である。なお、上記実施例１、２と同じ構成のものは同一符号を付して詳細な説明は省略する。
【００４９】
図５に示すように、外槽３３上部には、送風空気の内槽３４への入口となる給気口４９が設けられ、筐体３１の上部には、筐体３１外から外気を吸入する吸気口４６が設けられている。吸気口４６と給気口４９を連結する吸気ダクト４７は、吸気口４６から一旦下方へと伸び、再び下方から上方へと折り返すように延長して、給気口４９と連結されている。
【００５０】
下方へと伸びる吸気ダクト４７内には、放熱器４１が設けられており、筐体３１外から吸入された外気を加熱し、内槽３４内へと乾いた温風が送り込まれるように構成されている。放熱器４１は、筐体３１の上方の高さ位置から下方への高さ位置にまで伸びる吸気ダクト４７内に収まることができる限り、上下方向に大きくすることができるので、放熱器４１の発熱量を大きくすることができ、乾燥時間を短縮することができる。
【００５１】
また、吸気ダクト４７内の吸気口４６近傍で、放熱器４１の上流側には、吸気フィルター５６が設けられ、吸気口４６から吸入する外気の埃が放熱器４１内及び内槽３４内に侵入することを防止している。吸気フィルター５６の一部は筐体３１の背面外側に突き出しており、使用者が筐体３１の上部から簡単に吸気フィルター５６を着脱することができるように構成されている。
【００５２】
以上述べたように、送風空気の内槽３４への入口となる給気口４９を外槽３３上部に備え、吸気ダクト４７は筐体３１外から外気を吸入する吸気口４６を筐体３１上部に備え、吸気口４６近傍に吸気フィルター５６を設け、吸気ダクト４７を吸気口４６から下方へと伸ばし、吸気口４６から下方へと伸びる吸気ダクト４７内に放熱器４１を設け、さらに下方から上方へと折り返すように延長して給気口４９と連結したので、吸気口４６から吸入する外気の埃が放熱器４１内や内槽３４内に侵入することを防止することができ、また、使用者が筐体３１の上部から簡単に吸気フィルター５６を着脱することができ、また、放熱器４１を上下方向に大きくすることができるので、放熱器４１の発熱量を大きくすることができ、乾燥時間を短縮することができる。
【００５３】
（実施例４）
図６は本発明の第４の実施例の洗濯乾燥機の斜視図である。なお、実施例１〜３と同じ構成のものは同一符号を付して詳細な説明は省略する。
【００５４】
図６に示すように、外槽３３上部には、送風空気の内槽３４への入口となる給気口４９が設けられ、筐体３１の上部には、筐体３１外から外気を吸入する吸気口４６が設けられている。吸気口４６と給気口４９を連結する吸気ダクト４７は、吸気口４６から一旦下方へと伸び、再び下方から上方へと折り返すように延長して、給気口４９と連結されている。下方から上方へと折り返された吸気ダクト４７内には、放熱器４１が設けられており、筐体３１外から吸入された外気を加熱し、内槽３４内へと乾いた温風が送り込まれるように構成されている。
【００５５】
放熱器４１は、筐体３１の下方の高さ位置から上方への高さ位置にまで伸びる吸気ダクト４７内に収まることができる限り、上下方向に大きくすることができるので、放熱器４１の発熱量を大きくすることができ、乾燥時間を短縮することができる。また、吸気ダクト４７は、放熱器４１の収まる位置からさらに延長して、給気口４９と連結されるのであるが、放熱器４１から給気口４９までの距離を短くすることができるので、放熱器４１により加熱された送風空気の放熱ロスを少なくすることができる。
【００５６】
また、吸気ダクト４７内の吸気口４６近傍には、吸気フィルター５６が設けられ、吸気口４６から吸入する外気の埃が放熱器４１内及び内槽内に侵入することを防止している。吸気フィルター５６の一部は筐体３１の背面外側に突き出しており、使用者が筐体の上部から簡単に吸気フィルター５６を着脱することができるように構成されている。
【００５７】
以上述べたように、送風空気の内槽３４への入口となる給気口４９を外槽３３上部に備え、吸気ダクト４７は筐体３１外から外気を吸入する吸気口４６を筐体３１上部に備え、吸気口４６近傍に吸気フィルター５６を設け、吸気ダクト４７を吸気口４６から下方へと伸ばし、さらに下方から上方へと折り返すように延長し、下方から上方へと折り返した吸気ダクト４７内に放熱器４１を設け、吸気ダクト４７をさらに延長して給気口４９と連結したので、吸気口４６から吸入する外気の埃が放熱器４１内や内槽３４内に侵入することを防止することができ、また、使用者が筐体３１の上部から簡単に吸気フィルター５６を着脱することができ、また、放熱器４１を上下方向に大きくすることができるので、放熱器４１の発熱量を大きくすることができ、また、放熱器４１から給気口４９までの吸気ダクト４７の距離を短くすることができるので、放熱器４１により加熱された送風空気の放熱ロスを少なくして、内槽３４内の衣類に吹きつけることができるので、乾燥時間をより短縮することができる。
【００５８】
【発明の効果】
以上のように本発明の請求項１〜８に記載の発明によれば、ヒートポンプ装置をコンパクトに筐体内に収納することによって、従来では外部に放出されていた熱量を回収し、回収した熱量によって入力以上の出力を得て乾燥時間の短縮と省エネを実現することができる。
【図面の簡単な説明】
【図１】本発明の第１の実施例の洗濯乾燥機の要部断面図
【図２】同洗濯乾燥機の一部切欠斜視図
【図３】同洗濯乾燥機のヒートポンプサイクルと送風空気の流れを示す模式図
【図４】本発明の第２の実施例の洗濯乾燥機の一部切欠斜視図
【図５】本発明の第３の実施例の洗濯乾燥機の一部切欠斜視図
【図６】本発明の第４の実施例の洗濯乾燥機の一部切欠斜視図
【図７】従来の洗濯乾燥機の断面図
【符号の説明】
３１　筐体
３３　外槽
３４　内槽
３９　駆動手段
４０　圧縮機
４１　放熱器
４２　絞り手段
４３　吸熱器
４４　管路
４５　送風手段
４６　吸気口
４７　吸気ダクト
４９　給気口
５０　排気口
５２　排水手段
５４　排気ダクト
５６　吸気フィルター
【図１】
2004097521.tif 000003
【図２】
2004097521.tif 000004
【図３】
2004097521.tif 000005
【図４】
2004097521.tif 000006
【図５】
2004097521.tif 000007
【図６】
2004097521.tif 000008
【図７】
2004097521.tif 000009